(57)【要約】【課題】  子指部側係止舌片を何度も手甲部係止片に係着し直すこと無く、また、子指部側係止舌片を手甲部係止片に係着した後、ずれを戻す動作が不要となり、しっかりと手にフィットするゴルフ用手袋を提供する。【解決手段】  手袋本体２の手の甲側を覆う手甲部領域３の下方に形成された切込み部４の親指部側の辺を手袋本体２の縦方向の軸線１０に平行に形成し、切込み部４の子指部側の辺の一部を、頂点を子指部側にした「くの字」に屈曲させ、屈曲させた辺に沿って子指部側係止舌片５を取り付け、親指部側の手甲部領域３上に子指部側係止舌片５と係止される手甲部係止片６を取り付ける。【選択図】        図１
2006305185.tif 000002
【特許請求の範囲】
【請求項１】
手袋本体（２）の手の甲側を覆う手甲部領域（３）の下方に形成された切込み部（４）の親指部側の手甲部領域（３）と、切込み部（４）の子指部側の手甲部領域（３）とに取り付けられた一対の係止片を有するゴルフ用手袋（１）において、切込み部（４）の親指部側の辺を手袋本体（２）の縦方向の軸線（１０）に平行に形成し、切込み部（４）の子指部側の辺の一部を、頂点を子指部側にした「くの字」に屈曲させ、屈曲させた辺に沿って子指部側係止舌片（５）を取り付け、親指部側の手甲部領域（３）上に子指部側係止舌片（５）と係止される手甲部係止片（６）を取り付けたことを特徴とするゴルフ用手袋（１）。
【請求項２】
子指部側の辺の「くの字」の屈曲を、子指部側係止舌片の幅（５ａ）を底辺とし、底角を５°〜３０°とする二等辺三角形となるように形成したことを特徴とする請求項１に記載のゴルフ用手袋（１）。
【請求項３】
手袋本体（２）の手の甲側を覆う手甲部領域（３）と、手の掌側を覆う手掌部領域（７）の周囲に縫着するゴム帯（８）を、切込み部（４）の小指部側の辺の「くの字」に屈曲した斜辺の中央部に位置するように縫着したことを特徴とする請求項１または請求項２に記載のゴルフ用手袋（１）。
【発明の詳細な説明】
【技術分野】
【０００１】
本発明は、ゴルフ用手袋をよりスムーズに装着できるようにするために、手甲部領域に取り付けられた一対の係止片の改良に関するものである。
【背景技術】
【０００２】
従来のゴルフ用手袋は、図３に示すように手甲部領域３の下方に手袋本体２の縦方向の軸線１０に平行にスリット１１を形成し、スリット１１の子指部側の辺に沿って子指部側係止舌片５を取り付け、スリット１１の親指部側の辺に沿って一辺を合わせた手甲部係止片６が、親指部側の手甲部領域３上に取り付けられていた。また、手の甲側を覆う手甲部領域３と、手の掌側を覆う手掌部領域７の周囲に縫着するゴム帯８は、前記一対の係止片の上部および下部に縫着されていた。
【０００３】
ところが、ゴルフ用手袋１を装着する際、子指部側係止舌片５を引張ると親指部側の手甲部係止片６が斜め上方にずれるため、子指部側係止舌片５を何度も手甲部係止片６に係着し直したり、係着を一度で行うために手甲部係止片６を押さえながら子指部側係止舌片５を係着する必要があった。
【０００４】
そこで、スリットの頂部が甲側領域の小指部側に近接させ、スリットの裾部が甲側領域の人指し指部側に近接するように傾斜させることで、一対の係止片がずれて係着されることがなく、手に嵌めた場合のフィット感が良好なゴルフ用手袋が開示されている。
【特許文献１】特開２００２−１４３３６４号公報
【発明の開示】
【発明が解決しようとする課題】
【０００５】
前記特開２００２−１４３３６４号公報に開示されたゴルフ用手袋は、手甲部係止片が子指部側係止舌片を引張ると斜め上方にずれる方向に取り付けられているので、子指部側係止舌片を何度も手甲部係止片に係着し直すことは無くなるが、子指部側係止舌片を強く引張ると、手の掌側を覆う手掌部領域から手の甲側を覆う手甲部領域が回転して大きくずれるので、子指部側係止舌片を手甲部係止片に係着してから、ずれを戻す動作が必要となる。
【０００６】
そこで、本発明は従来のゴルフ用手袋の課題を解決すると共に、装着時はしっかりと手にフィットするゴルフ用手袋を提供することを目的とする。
【課題を解決するための手段】
【０００７】
前記課題を解決するため、請求項１に記載の発明は、手袋本体の手の甲側を覆う手甲部領域の下方に形成された切込み部の親指部側の手甲部領域と、切込み部の子指部側の手甲部領域とに取り付けられた一対の係止片を有するゴルフ用手袋において、切込み部の親指部側の辺を手袋本体の縦方向の軸線に平行に形成し、切込み部の子指部側の辺の一部を、頂点を子指部側にした「くの字」に屈曲させ、屈曲させた辺に沿って子指部側係止舌片を取り付け、親指部側の手甲部領域上に子指部側係止舌片と係止される手甲部係止片を取り付けたことを特徴とするゴルフ用手袋である。
【０００８】
上記のように形成すれば、子指部側係止舌片を手甲部係止片に係止する際、「くの字」に屈曲させた指先側の斜辺を手袋本体の縦方向の軸線にほぼ平行になるまで子指部側係止舌片を引張って手甲部係止片に係止し、続いて屈曲させた手首側の斜辺を子指部側係止舌片を引張って手甲部係止片に係止するようにすることで、子指部側係止舌片を何度も手甲部係止片に係着し直したり、子指部側係止舌片を手甲部係止片に係着してから、ずれを戻す動作が不要となる。
【０００９】
請求項２に記載の発明は、子指部側の辺の「くの字」の屈曲を、子指部側係止舌片の幅を底辺とし、底角を５°〜３０°とする二等辺三角形となるように形成したことを特徴とする請求項１に記載のゴルフ用手袋である。
【００１０】
底角を５°〜３０°とするのは、一般にゴルフ用手袋は手の甲側を覆う手甲部領域と、手の掌側を覆う手掌部領域の周囲にゴム帯が縫着されているが、ゴム帯の伸びの大きさと、前記子指部側係止舌片の幅の大きさから求めたものである。
【００１１】
請求項３に記載の発明は、手袋本体の手の甲側を覆う手甲部領域と、手の掌側を覆う手掌部領域の周囲に縫着するゴム帯を、切込み部の小指部側の辺の「くの字」に屈曲した斜辺の中央部に位置するように縫着したことを特徴とする請求項１または請求項２に記載のゴルフ用手袋である。
【００１２】
ゴム帯を「くの字」に屈曲した斜辺の中央部に位置するように縫着することで、「くの字」に屈曲させた指先側の斜辺を手袋本体の縦方向の軸線にほぼ平行になるまで子指部側係止舌片を引張って手甲部係止片に係止する際、続いて子指部側係止舌片の「くの字」に屈曲させた手首側の斜辺を引張って手甲部係止片に係止する際に、手首周りの締め付けをより効かせることができる。
【発明の効果】
【００１３】
子指部側係止舌片を何度も手甲部係止片に係着し直すこと無く、また、子指部側係止舌片を手甲部係止片に係着した後、ずれを戻す動作が不要となり、しっかりと手にフィットするゴルフ用手袋とすることができる。
【発明を実施するための最良の形態】
【００１４】
以下、本発明の実施形態について図面を参照して説明する。ゴルフ用手袋は、天然皮革、人工皮革、合成皮革等の素材を裁断し、複数の部材を縫着して作製される。その主な部材は、手の掌側を覆う手掌部領域と手の甲側を覆う手甲部領域を裁断した手袋本体、親指部材、手首周りにゴルフ用手袋を緊締する一対の係止部材である。
【００１５】
図２は図１に示す本発明のゴルフ用手袋１の手袋本体２の展開図である。図の手袋本体２は小指部１２から人指指部１３を含む手甲部領域３と人指指部１３から小指部１２を含む手掌部領域７を一体に裁断しているが、手甲部領域３と手掌部領域７を分離して裁断し縫製することもできる。手掌部領域７には、親指部材９を取り付ける親指部材取付孔９ａを開けている。手甲部領域３には、薬指部１４の縦方向の中心線近傍に手甲部領域７下端から指先方向に切込み部４を設けている。切込み部４は、親指部側の辺を手袋本体２の縦方向の軸線１０に平行に形成し、子指部側の辺の一部を頂点を子指部側にした「くの字」に屈曲させている。「くの字」の屈曲は、屈曲させた指先側の斜辺と手首側の斜辺とを同じ長さにする必要は無いが、屈曲させた辺に沿って取付ける子指部側係止舌片５を係止する動作および手首周りの締め付けを効果的に行うために、同じ長さとすることが望ましい。
【００１６】
図１に示すように、切込み部４の子指部側の「くの字」に屈曲させた辺に沿って子指部側係止舌片５を取り付け、親指部側の手甲部領域３上に切込み部４の親指部側の辺に沿って一辺を合わせた手甲部係止片６を取り付ける。係止片は一対の面ファスナーを用いるが、子指部側係止舌片５をループ面ファスナー１５、手甲部係止片６をフック面ファスナー１６とすることが、面ファスナーの脱着時に衣服等に引っ掛かることを防ぐために望ましい。
【００１７】
前記切込み部４の「くの字」の屈曲は、屈曲させた指先側の斜辺と手首側の斜辺とを同じ長さにすることが望ましく、その屈曲は指先側の斜辺と手首側の斜辺との接合点を頂点とする二等辺三角形の底角が５°〜３０°となるようにする。
【００１８】
前記底角を５°〜３０°となるようにするのは、子指部側係止舌片５の「くの字」に
屈曲させた指先側の斜辺を手袋本体２の縦方向の軸線１０にほぼ平行になるまで子指部側係止舌片５を引張って手甲部係止片６に係止し、続いて子指部側係止舌片５の「くの字」に屈曲させた手首側の斜辺を引張って手甲部係止片６に係止する際、一般に子指部側係止舌片５の幅は３〜５ｃｍであり、子指部側係止舌片５をいっぱいに引張った時に伸びる長さが１〜３ｃｍであることから、最も伸びが小さい組合せの子指部側係止舌片の幅５ａが５ｃｍで伸びる長さが１ｃｍであれば、前記底角は５°となり、最も伸びが大
きい組合せの子指部側係止舌片の幅５ａが３ｃｍで伸びる長さが３ｃｍであれば、前記底角は３０°となるからである。
【００１９】
本発明のゴルフ用手袋１は、子指部側係止舌片５を手甲部係止片６に係止する際、「くの字」に屈曲させた手首側の斜辺を手甲部係止片６に係止し、続いて子指部側係止舌片５の「くの字」に屈曲させた手首側の斜辺を手甲部係止片６に係止することから、「くの字」に屈曲させた斜辺に前記ゴム帯８の端部が位置するように縫着することが望ましく、斜辺の中央部に位置するように縫着することがより望ましい。
【実施例】
【００２０】
以下、本発明の実施例について図面を参照して説明する。図１は左手用のゴルフ用手袋１の手甲部側から見た図である。図２はゴルフ用手袋１の手袋本体２の裁断後の展開図である。図１のゴルフ用手袋１は、図２に示す羊革を裁断した手袋本体２に、図示を省略した親指部材９および他の指部の襠部材、ゴム帯８、一対の子指部側係止舌片５と手甲部係止片６を縫着したものである。なお、子指部側係止舌片５にはループ面ファスナー１５を、手甲部係止片６にはフック面ファスナー１６を縫着している。
【００２１】
図２の手甲部領域３には、薬指部１４の縦方向の中心線近傍に手甲部領域３下端から指先方向に切込み部４を設けている。切込み部４は、親指部側の辺を手袋本体２の縦方向の軸線１０に平行に形成し、切込み部４の子指部側の辺の一部を、二等辺三角形の斜辺となるように屈曲させている。
【００２２】
図１に示すように切込み部４の子指部側の屈曲させた辺に合わせて子指部側係止舌片５を縫着し、子指部側係止舌片５とほぼ同形の手甲部係止片６を切込み部４の親指部側の辺に一辺を合わせて縫着している。子指部側係止舌片の幅５ａは５ｃｍで、屈曲させた辺を斜辺とする二等辺三角形の底角は２０°である。
【００２３】
装着時のフィット感を向上させるため、手袋本体２の裏面にゴム帯８を千鳥縫いで縫着している。ゴム帯８の一端は、切込み部４の子指部側の屈曲させた斜辺の中央部に位置するようにしている。
【産業上の利用可能性】
【００２４】
本発明は、ゴルフ以外のスポーツ用手袋にも適用できるものである。
【図面の簡単な説明】
【００２５】
【図１】本発明の一実施態様の手甲部側の図である。
【図２】本発明の手袋本体の裁断後の展開図である。
【図３】従来のゴルフ用手袋の手甲部側の図である。
【符号の説明】
【００２６】
１  ゴルフ用手袋
２  手袋本体
３  手甲部領域
４  切込み部
５  子指部側係止舌片
５ａ  子指部側係止舌片の幅
６  手甲部係止片
７  手掌部領域
８  ゴム帯
９  親指部材
９ａ  親指部材取付孔
１０  縦方向の軸線
１１  スリット
１２  小指部
１３  人指指部
１４  薬指部
１５  ループ面ファスナー
１６  フック面ファスナー
【図１】
2006305185.tif 000003
【図２】
2006305185.tif 000004
【図３】
2006305185.tif 000005